(57)【要約】【課題】  自動車整備工場等における整備作業を安全に行なうために必要なピットカバー装置を有する自動車整備リフト装置において、ピットカバーをピット内の邪魔にならない位置に収納することができると共にピット深さを浅くすることができるピットカバー装置を有する自動車整備用リフト装置を提供する。【解決手段】  複数の蓋単体４ａ、５、６を連結してピットカバー４を形成し、ピット１０内の両側縁部に沿ってピットカバー用レール７を横設すると共に前記ピット１０内の前端部及び後端部にある各ピットカバー収納室１１内にそれぞれ左右一対からなるピットカバー吊下げ腕８を設置して、前記ピットカバー４が該ピットカバー吊下げ腕８から多重に折り畳んで吊下げられるように形成した。【選択図】        図１
2005138698.tif 000002
【特許請求の範囲】
【請求項１】
床面に形成したピット内に固定リフトと移動リフトとを有すると共に該移動リフトと共に移動しながら前記ピットの開口部を塞ぐピットカバーを有する自動車整備用リフト装置において、前記ピットカバーは多数の横長の蓋単体を順次連結して各連結部において屈折可能な帯状のピットカバーに形成し、前記ピットカバーの両端部の下面に係合するピットカバー用レールを前記ピットの上部開口部の両側縁部に沿って前記ピット内に横設すると共にこれらピットカバー用レールの両端部を前記ピット内の前端部及び後端部に設けたピットカバー収納室内にまで延長し、更に前記ピットカバー収納室内の左右に一対のピットカバー吊下げ腕を設置して、該ピットカバー吊下げ腕に前記ピットカバーが所定の垂れ下り長さを有して多重に折り畳んで前記ピットカバー収納室内に収納されるように形成したピットカバー装置を有する自動車整備用リフト装置。
【請求項２】
前記ピットカバーの前端部の蓋単体及び前記ピットカバーの後端部の蓋単体及び前記ピットカバーの中間部にある少なくとも１組の蓋単体には各々これら蓋単体の左右の側方へ突出する棒状の突出部を突出させて有しており、前記ピットカバー収納室に具備した左右一対のピットカバー吊下げ腕に該蓋単体の側方へ突出した突出部を係合させてこれら突出部を有する蓋単体を前記ピットカバー吊下げ腕上に支承すると共に、前記突出部を有しない蓋単体は前記左右一対のピットカバー吊下げ腕の間を遊嵌するように形成した請求項１に記載のピットカバー装置を有する自動車整備用リフト装置。
【請求項３】
前記左右一対のピットカバー吊下げ腕は、前記ピットの前端部及び又は後端部から前記ピットの中央部へ向けて少許下向きの傾斜を有して互いに平行に配置されていると共に、これらピットカバー吊下げ腕の先端部を上方へ屈折させて反転させ、該ピットカバー吊下げ腕の反転した部分を前記ピットカバーの前端部又は後端部の蓋単体のストッパー部に形成した請求項１又は請求項２に記載のピットカバー装置を有する自動車整備用リフト装置。
【請求項４】
前記ピットカバーは、相隣る蓋単体を蝶番で連結して形成されており、該蝶番による連結は、前記突出部を有しない蓋単体どうしの連結部にあっては主に下方に向かって屈折可能に連結し、又、前記突出部を有する蓋単体のとの連結部にあっては主に上方に向かって屈折可能に連結するようにした請求項１乃至請求項３のいずれか１に記載のピットカバー装置を有する自動車整備用リフト装置。
【発明の詳細な説明】
【技術分野】
【０００１】
本発明は自動車特にトラック等の大型車両の点検整備等に用いるためのピットに設けたリフト装置において、整備作業を安全に行なうために有用なピットカバー装置を有する自動車整備用リフト装置に関する。
【背景技術】
【０００２】
床面に形成のピットの開口部に、その一端部に一方の固定リフトを設けると共に、該開口部に沿って他方の移動リフトを移動可能に設けた自動車整備用リフト装置において、該移動リフトと共に移動しながら前記ピットの開口部を塞ぐピットカバーを設けて、前記開口部から人や車両が転落するのを防止するようにした自動車整備用リフト装置が知られている。
【０００３】
出願人は先に、床面に形成のピットの開口部に、その一端部に一方の固定リフトを設けると共に、該開口部に沿って他方の移動リフトを移動可能に設けた移動リフト装置において、前記ピット内の一端部近傍と他端部に軸支したスプロケットに巻掛けされたチェーンの両端を前記移動リフトに結着すると共に、該チェーンに、両端が前記開口部の両側縁に移動自在に係合する多数の蓋単体を連結した移動リフト装置のピットカバー装置の発明の出願（特許文献１）、及び床面に形成のピットの開口部に、その一端部に一方の固定リフトを設けると共に、該開口部に沿って他方の移動リフトを移動可能に設けた移動リフト装置において、前記ピット内の一端近傍と他端部に駆動源を連結したスプロケットを軸支し、これらスプロケットに巻掛けされた第１ローラチェーンと第２ローラチェーンの各一端を前記移動リフトの前後に結着すると共に、該第１、第２ローラチェーンに両端が前記開口部の蓋単体を連結した移動リフト装置のピットカバー装置の発明の出願（特許文献２）を行なっている。
【特許文献１】特開平１０−１５２０２５号公報
【特許文献２】特開２０００−２６０８１号公報
【発明の開示】
【発明が解決しようとする課題】
【０００４】
しかしながら、前記特許文献１に記載のピットカバー装置は、多数の蓋単体がそれぞれチェーンに連結されていて、ピット内を循環するチェーンやスプロケット等がピット内のスペースを占有しており、又、ピットの深さも深くする必要があるという問題点があった。
【０００５】
又、前記特許文献２に記載のピットカバー装置は、移動リフトの前後にチェーンの端部を結着していて、移動リフトの移動範囲を大きくすることができないという問題点があった。
【０００６】
本発明はこれらの問題点を解消し、浅いピット内の狭いスペースにピットカバーを収納可能なピットカバー装置を有する自動車整備用リフト装置を提供することを目的とする。
【課題を解決するための手段】
【０００７】
本発明は上記の目的を達成すべく、床面に形成したピット内に固定リフトと移動リフトとを有すると共に該移動リフトと共に移動しながら前記ピットの開口部を塞ぐピットカバーを有する自動車整備用リフト装置において、前記ピットカバーは多数の横長の蓋単体を順次連結して各連結部において屈折可能な帯状のピットカバーに形成し、前記ピットカバーの両端部の下面に係合するピットカバー用レールを前記ピットの上部開口部の両側縁部に沿って前記ピット内に横設すると共にこれらピットカバー用レールの両端部を前記ピット内の前端部及び後端部に設けたピットカバー収納室内にまで延長し、更に前記ピットカバー収納室内の左右に一対のピットカバー吊下げ腕を設置して、該ピットカバー吊下げ腕に前記ピットカバーが所定の垂れ下り長さを有して多重に折り畳んで前記ピットカバー収納室内に収納されるように形成した。
【発明の効果】
【０００８】
本発明によれば、ピット深さの浅いピット内の狭い収納スペース内にピットカバーを収納することができ、施工費を安価にすることができる効果を有する。
【発明を実施するための最良の形態】
【０００９】
本発明の移動リフト装置のピットカバー装置の実施例を以下に示す。
【実施例１】
【００１０】
ピットカバー装置の実施例１を図１乃至図５により説明する。
【００１１】
図１は自動車整備工場の床面に形成されたピット１０の縦断面図であり、１は前記ピット１０内の前方端部に固定された固定リフトであり、２は前記ピット１０内を長手方向に移動可能な移動リフトである。
【００１２】
前記移動リフト２は、前記ピット１０の上部開口部の両側部に沿って溝状に横設された移動リフト用レール３に車輪９を係合させて、図示していない走行駆動装置により自力走向が可能に形成されている。
【００１３】
４はピットカバーで、該ピットカバー４は後述するように蝶番６ｂを用いて蓋単体４ａを帯状に連結すると共に要部に蓋単体５、６を配置して形成され、前記移動リフト２の前後に接続して前記ピット１０の上面を塞いでいる。
【００１４】
前記ピットカバー４は、前記ピット１０内の上部開口部の両側縁部に沿って前記ピット１０内に横設したピットカバー用レール７に前記ピットカバー４の両側部の下面を係合させて、前記移動リフト２の移動に伴って該ピットカバー用レール７上を摺動しながら移動する。
【００１５】
前記ピットカバー用レール７は前記移動リフト用レール３の更に上方に配置されており、前記ピットカバー用レール７の両端部は前記ピット１０内の前端部及び後端部に設けたピットカバー収納室１１にまで延長され、これらピットカバー収納室１１内に前記ピットカバー用レール７の端部が来るようにしている。
【００１６】
尚、前記ピットカバー用レール７は両端部を下向きに屈折させて、これら端部が下向きの傾斜を有する形状に形成している。
【００１７】
８はピットカバー吊下げ腕であり、該ピットカバー吊下げ腕８は前記ピットカバー収納室１１内で前記ピットカバー用レール７の少許下方位置に各々左右一対宛設置され、これらピットカバー吊下げ腕８はそれぞれ先端部をピット１０の中央部へ向けて、少許下向きの傾斜を有して互いに平行に配置されている。
【００１８】
又、前記ピットカバー吊下げ腕８は先端部を上方へ屈折させて反転させ、該反転した部分を後述する蓋単体５のストッパー部８ａに形成している。
【００１９】
これら左右一対のピットカバー吊下げ腕８の間の間隔は、前記ピットカバー４を形成する蓋単体４ａの横幅よりも少許大として、この間隔を蓋単体４ａが遊嵌するようにした。
【００２０】
図２にこれらピットカバー用レール７及びピットカバー吊下げ腕８を具備したピット１０の一端截断平面図を示す。
【００２１】
尚、１２は固定カバーで、該固定カバー１２は前記固定リフト１の近傍のピット開口部を塞いでいる。
【００２２】
次に前記ピットカバー４の構造を図１乃至図３により説明する。
【００２３】
図３はピットカバー４の一部斜視図で、該ピットカバー４は横長の立方形の箱状の蓋単体４ａ及び蓋単体５、６が帯状に連結して形成されている。
【００２４】
前記蓋単体５及び６は、前記箱状の蓋単体４ａの左右の側面に、側方へ突出する棒状の突出部５ａを突設して有する形状となっている。
【００２５】
蓋単体５は前記ピットカバー４の前端部及び後端部を形成しており、又、蓋単体６は前記ピットカバー４の中間部にあって、該蓋単体６と前記蓋単体５との間にある複数個の蓋単体４ａが丁度前記ピットカバー吊下げ腕８とピットカバー収納室１１の床面との間を一往復する長さとなるように形成されている。
【００２６】
これら蓋単体４ａ、５、６の相隣る蓋単体との連結には蝶番６ｂを用いて、これら蓋単体間を上方又は下方に屈折可能に形成している。
【００２７】
この蝶番６ｂによる連結は、蓋単体４ａどうしにあっては各蓋単体４ａの下端部に蝶番６ｂのかなめ部を配置して互いに連結するようにし、又、蓋単体５又は６と蓋単体４ａとの連結にあっては、各蓋単体の上端部に蝶番６ｂのかなめ部を配置して連結するようにした。
【００２８】
尚、前記蓋単体４ａどうしの連結には、コンベアチェーン型の蝶番を使用するようにしてもよい。
【００２９】
次に本実施例１の使用方法及びその効果について説明する。
【００３０】
先ず、ピット１０内の移動リフト２が固定リフト１寄りにあるときは、図１に示す如く、ピットカバー４の前部はピット１０の前端部寄りにあるピットカバー収納室１１内に、ピットカバー吊下げ腕８に多重に折り畳んで吊下げた状態で収納されている。
【００３１】
この時、前記ピットカバー４の前端部の蓋単体５及び中間の蓋単体６は、各々その側方へ突出する棒状の突出部５ａを該ピットカバー吊下げ腕８に係合して、該ピットカバー吊下げ腕８上に係止されており、その間にある蓋単体４ａは、該ピットカバー吊下げ腕８から垂下している。
【００３２】
この時、前記ピットカバー４の後端部の蓋単体５は、ピットカバー用レール７の後端部近くに位置している。
【００３３】
次いで移動リフト２を走行させて、図４に示す如くピット１０の中間部にまで進めたとき、該移動リフト２の前後に接続しているピットカバー４はピットカバー用レール７の上を移動し、該ピットカバー４の後部は遂次ピットカバー用レール７の後端部から滑り落ちて、ピット１０の後端部のピットカバー収納室１１内に落下していく。
【００３４】
このとき、該ピットカバー４の後端部にある蓋単体５は、その側方へ突出する突出部５ａを該ピットカバー収納室内にある左右一対のピットカバー吊下げ腕８に係合させて、該ピットカバー吊下げ腕８上の前記ストッパー部８ａに係止して留まるが、前記突出部５ａを有さない蓋単体４ａは左右一対のピットカバー吊下げ腕８の間を挿通して下方へ垂下する。
【００３５】
又、更に移動リフト２がピット１０内の後端部にまで進んだときは、図５に示す如く、ピットカバー４の後部はピット１０の後端部のピットカバー収納室１１内のピットカバー吊下げ腕８に、多重に折り畳んで吊下げた状態で収納される。
【００３６】
尚、このとき、該ピットカバー吊下げ腕８上には蓋単体５及び蓋単体６が支承されているが、前記蝶晩６ｂの取付位置により蓋単体４ａどうしの接続部とは逆向きの方向に屈折するようにして、これら蓋単体５及び蓋単体６の所でピットカバー４を逆に折り返すことが可能となっている。
【００３７】
このように、移動リフト２の移動に伴なってピットカバー４の弛んだ部分が自動的にピットカバー収納室１１内に収容されるようにしたので、ピットカバー装置の構造が簡単となり、又、狭いピットカバー収納室１１内にピットカバー４が折り畳んで収容されるので、チェーンやピットカバーがピット内を循環する従来の方式のものと較べてピット深さを浅くすることができる効果を有する。
【実施例２】
【００３８】
ピットカバー装置の実施例２を図６により説明する。
【００３９】
本実施例２は、前記実施例１におけるピットカバー４の代りに、図６に示すピットカバー１４を用いるようにした点が前記実施例１とは異なる。
【００４０】
即ち、前記実施例１におけるピットカバー４は、横長の立方形の箱状に形成した蓋単体４ａ、５、６を蝶番で連結して帯状に形成していたのに対し、本実施例２のピットカバー１４は、前後の辺を半円形状に外方へ膨出させて断面を偏平な俵状に形成した横長の蓋単体１５、１６からなり、これら蓋単体１５、１６をリンク１５ａで連結して帯状に形成している。
【００４１】
尚、前記蓋単体１６は、前記蓋単体１５の左右の側方へ突出する棒状の突出部５ａを有しており、蓋単体１５は該突出部５ａを有さない構造のものである。
【００４２】
前記リンク１５ａは、これら蓋単体１５、１６の左右の側面において、各蓋単体の前後の半円状の辺の円弧の中心部に回動自在に枢着されており、隣接する蓋単体どうしを互いに上下に回動自在に連結している。
【００４３】
尚、前記蓋単体１６は前記ピットカバー１４の前端部及び後端部を形成すると共にピットカバー１４の中間部にあって、これら蓋単体１６の間にある複数個の蓋単体１５が、前記実施例１におけるピットカバー吊下げ腕８とピットカバー収納室１１の床面との間を一往復する長さとなるように形成されている。
【００４４】
本実施例２におけるピットカバー１４の作用も前記実施例１におけるピットカバー４の作用と略同じであるが、前記実施例１におけるピットカバー４の各蓋単体は上方又は下方のいずれか一方にしか屈折できなかったのに対し、本実施例２のピットカバー１４では、各蓋単体が上下いずれの方へも屈折が可能である特徴を有している。
【産業上の利用可能性】
【００４５】
本発明は自動車特に大型トラック等の大型車両の点検整備を行なう自動車整備工場等の自動車整備用リフト装置として有用である。
【図面の簡単な説明】
【００４６】
【図１】ピットの縦断面図である。（実施例１）
【図２】ピットの一部截断平面図である。（実施例１）
【図３】ピットカバーの一部斜視図である。（実施例１）
【図４】前記図１とは異なる状態におけるピットの縦断面図である。（実施例１）
【図５】前記図１及び図４とは異なる状態におけるピットの縦断面図である。（実施例１）
【図６】ピットカバーの一部斜視図である。（実施例２）
【符号の説明】
【００４７】
１                        固定リフト
２                        移動リフト
４、１４                  ピットカバー
４ａ、５、６、１５、１６  蓋単体
５ａ                      棒状の突出部
６ｂ                      蝶番
７                        ピットカバー用レール
８                        ピットカバー吊下げ腕
１０                      ピット
１１                      ピットカバー収納室
【図１】
2005138698.tif 000003
【図２】
2005138698.tif 000004
【図３】
2005138698.tif 000005
【図４】
2005138698.tif 000006
【図５】
2005138698.tif 000007
【図６】
2005138698.tif 000008
【手続補正書】
【提出日】平成15年12月8日(2003.12.8)
【手続補正１】
【補正対象書類名】図面
【補正対象項目名】全図
【補正方法】変更
【補正の内容】
【図１】
2005138698.tif 000009
【図２】
2005138698.tif 000010
【図３】
2005138698.tif 000011
【図４】
2005138698.tif 000012
【図５】
2005138698.tif 000013
【図６】
2005138698.tif 000014